(57)【要約】【課題】実際の店舗において仮想商品の陳列シミュレーションを行うこと。【解決手段】陳列棚に取り付けられた複数のＡＲマーカを表示端末１０１のＡＲマーカ読み取り部１０が読み取り、該表示端末１０１が、読み込んだ複数のＡＲマーカの位置情報に基づいてＡＲコンピュータ１０３のデータベース１０４の棚マスタから複数座標位置に合致する棚情報をネットワーク１０２を介して取得し、該取得した棚情報に基づいて指定された仮想商品の陳列配置を決定し、該決定した仮想商品の陳列配置画像を前記取得した棚情報に基づく棚画像上に重ねてＡＲ表示部１２に表示する棚割シミュレーションシステム。【選択図】図１
2013134673.tif 000002
【特許請求の範囲】
【請求項１】
商品棚の任意位置に複数取り付けられたＡＲマーカを読み取るＡＲマーカ読み取り部と、前記商品棚に対する仮想商品を陳列したＡＲ表示部とを有する端末と、
該端末とネットワークを介して接続され、複数の商品棚の寸法を構成する位置情報を格納した棚マスタと該棚マスタに商品を陳列した際の棚割情報を格納するための棚割データと複数商品の分類及び商品コード他を格納した商品マスタと該商品マスタに一意に付与された商品マスタ番号を格納した商品テーブルとを登録したデータベースと、該データベースに登録した棚マスタと棚割データ商品マスタと商品テーブルを参照して前記端末のＡＲ表示部に仮想商品を陳列した棚割シミュレーションを制御する中央処理部とを有するＡＲコンピュータとを備え、商品棚に対する仮想商品の陳列シミュレーションを実行する棚割シミュレーションシステムであって、
前記端末が、ＡＲマーカ読み取り部を用いて複数のＡＲマーカを読み取る第１工程と、該第１工程によって読み込んだ複数のＡＲマーカの位置情報に基づいて前記データベースの棚マスタから複数座標位置に合致する棚情報を取得する第２工程と、該第２工程によって取得した棚情報に基づいて指定された仮想商品の陳列配置を決定する第３工程と、該第３工程によって決定した仮想商品の陳列配置画像を前記取得した棚情報に基づく棚画像上に重ねて表示する第４工程とを実行することを特徴とする棚割シミュレーションシステム。
【請求項２】
商品棚の任意位置に複数取り付けられたＡＲマーカを読み取るＡＲマーカ読み取り部と、前記商品棚に対する仮想商品を陳列したＡＲ表示部とを有する端末と、
該端末とネットワークを介して接続され、複数の商品棚の寸法を構成する位置情報を格納した棚マスタと該棚マスタに商品を陳列した際の棚割情報を格納するための棚割データと複数商品の分類及び商品コード他を格納した商品マスタと該商品マスタに一意に付与された商品マスタ番号を格納した商品テーブルとを登録したデータベースと、該データベースに登録した棚マスタと棚割データ商品マスタと商品テーブルを参照して前記端末のＡＲ表示部に仮想商品を陳列した棚割シミュレーションを制御する中央処理部とを有するＡＲコンピュータとを備え、商品棚に対する仮想商品の陳列シミュレーションを実行するコンピュータシステムにおける棚割シミュレーション方法であって、
前記端末が、
ＡＲマーカ読み取り部を用いて複数のＡＲマーカを読み取る第１工程と、記端末が、該第１工程によって読み込んだ複数のＡＲマーカの位置情報に基づいて前記データベースの棚マスタから複数座標位置に合致する棚情報を取得する第２工程と、該第２工程によって取得した棚情報に基づいて指定された仮想商品の陳列配置を決定する第３工程と、該第３工程によって決定した仮想商品の陳列配置画像を前記取得した棚情報に基づく棚画像上に重ねて表示する第４工程とを実行することを特徴とする棚割シミュレーション方法。
【請求項３】
商品棚の任意位置に複数取り付けられたＡＲマーカを読み取るＡＲマーカ読み取り部と、前記商品棚に対する仮想商品を陳列したＡＲ表示部とを有する端末と、
該端末とネットワークを介して接続され、複数の商品棚の寸法を構成する位置情報を格納した棚マスタと該棚マスタに商品を陳列した際の棚割情報を格納するための棚割データと複数商品の分類及び商品コード他を格納した商品マスタと該商品マスタに一意に付与された商品マスタ番号を格納した商品テーブルとを登録したデータベースと、該データベースに登録した棚マスタと棚割データ商品マスタと商品テーブルを参照して前記端末のＡＲ表示部に仮想商品を陳列した棚割シミュレーションを制御する中央処理部とを有するＡＲコンピュータとを備え、商品棚に対する仮想商品の陳列シミュレーションを実行するコンピュータシステムにおける棚割シミュレーションプログラムあって、
前記端末に、ＡＲマーカ読み取り部を用いて複数のＡＲマーカを読み取る第１機能と、該第１機能によって読み込んだ複数のＡＲマーカの位置情報に基づいて前記データベースの棚マスタから複数座標位置に合致する棚情報を取得させる第２機能と、該第２機能によって取得した棚情報に基づいて指定された仮想商品の陳列配置を決定させる第３機能と、該第３機能によって決定した仮想商品の陳列配置画像を前記取得した棚情報に基づく棚画像上に重ねて表示させる第４機能とを実現させることを特徴とする棚割シミュレーションプログラム。
【発明の詳細な説明】
【技術分野】
【０００１】
本発明は、商品を陳列する陳列棚に三次元的に仮想商品の陳列を行うことができる棚割シミュレーションシステム、棚割シミュレーション方法及び棚割シミュレーションプログラムに係り、特にＡＲ（拡張現実）技術を用いて指定した仮想商品を実際の商品棚に合致した陳列の棚割シミュレーションを行うことができる棚割シミュレーションシステム、棚割シミュレーション方法及び棚割シミュレーションプログラムに関する。
【背景技術】
【０００２】
一般に商店等における陳列棚における多数の商品の陳列は、陳列棚の長さ及び幅に対する商品の大きさを考慮し、且つ売れ筋商品を消費者の目線に近い位置に配置する等の工夫が必要であり、この陳列棚に対する商品陳列のシミュレーションを行う技術が記載された文献としては下記の特許文献１が挙げられる。
【０００３】
この特許文献１には、商品データ入力手段と棚種類データ入力手段と棚データファイルと商品データファイルと棚割演算手段と棚割位置データファイルと棚割画像データ作成手段と棚割レイアウト画像データファイルと画像表示手段と画像印刷手段とを設け、前記棚割演算手段が、入力された商品の種類をもとに商品データファイルから商品の幅・高さおよび奥行きのデータを読出し、入力された棚の種類をもとに棚データファイルから棚の幅・高さおよび奥行きのデータを読出し、それらのデータと入力された商品の数量データとに基づいて、商品の種類ごとに商品が置かれる棚の位置データを算出することによって、受注前に小売業者の希望する商品の棚への陳列形態を容易に提示する商品陳列シミュレーション技術が記載されている。
【先行技術文献】
【特許文献】
【０００４】
【特許文献１】特開平１１−２５１５１号公報
【発明の概要】
【発明が解決しようとする課題】
【０００５】
前述の特許文献１記載技術は、商品の幅・高さおよび奥行きに基づいて商品陳列シミュレーションを行うことができるものの、製造者が小売業者または商品流通業者から商品の受注を行なうに際し、受注される商品を予め棚に陳列した形態で小売業者に提示することを目的としているため、商品陳列のサンプルを小売業者に提示することに止まり、実際の店舗においては、店舗の形状や容積によって陳列棚が作成されるため、個々の店舗における実際の商品陳列のシミュレーションを行うことが困難であるという課題があった。
【０００６】
本発明の目的は、前述の従来技術による課題を解決しようとするものであり、実際の店舗において仮想商品の陳列シミュレーションを行うことができる棚割シミュレーションシステム、棚割シミュレーション方法及び棚割シミュレーションプログラムを提供することである。
【課題を解決するための手段】
【０００７】
前記目的を達成するため本発明は、商品棚の任意位置に複数取り付けられたＡＲマーカを読み取るＡＲマーカ読み取り部と、前記商品棚に対する仮想商品を陳列したＡＲ表示部とを有する端末と、
該端末とネットワークを介して接続され、複数の商品棚の寸法を構成する位置情報を格納した棚マスタと該棚マスタに商品を陳列した際の棚割情報を格納するための棚割データと複数商品の分類及び商品コード他を格納した商品マスタと該商品マスタに一意に付与された商品マスタ番号を格納した商品テーブルとを登録したデータベースと、該データベースに登録した棚マスタと棚割データ商品マスタと商品テーブルを参照して前記端末のＡＲ表示部に仮想商品を陳列した棚割シミュレーションを制御する中央処理部とを有するＡＲコンピュータとを備え、商品棚に対する仮想商品の陳列シミュレーションを実行する棚割シミュレーションシステムであって、
前記端末が、ＡＲマーカ読み取り部を用いて複数のＡＲマーカを読み取る第１工程と、該第１工程によって読み込んだ複数のＡＲマーカの位置情報に基づいて前記データベースの棚マスタから複数座標位置に合致する棚情報を取得する第２工程と、該第２工程によって取得した棚情報に基づいて指定された仮想商品の陳列配置を決定する第３工程と、該第３工程によって決定した仮想商品の陳列配置画像を前記取得した棚情報に基づく棚画像上に重ねて表示する第４工程とを実行することを第１の特徴とする。
【０００８】
また、本発明は、商品棚の任意位置に複数取り付けられたＡＲマーカを読み取るＡＲマーカ読み取り部と、前記商品棚に対する仮想商品を陳列したＡＲ表示部とを有する端末と、
該端末とネットワークを介して接続され、複数の商品棚の寸法を構成する位置情報を格納した棚マスタと該棚マスタに商品を陳列した際の棚割情報を格納するための棚割データと複数商品の分類及び商品コード他を格納した商品マスタと該商品マスタに一意に付与された商品マスタ番号を格納した商品テーブルとを登録したデータベースと、該データベースに登録した棚マスタと棚割データ商品マスタと商品テーブルを参照して前記端末のＡＲ表示部に仮想商品を陳列した棚割シミュレーションを制御する中央処理部とを有するＡＲコンピュータとを備え、商品棚に対する仮想商品の陳列シミュレーションを実行するコンピュータシステムにおける棚割シミュレーション方法であって、
前記端末が、ＡＲマーカ読み取り部を用いて複数のＡＲマーカを読み取る第１工程と、該第１工程によって読み込んだ複数のＡＲマーカの位置情報に基づいて前記データベースの棚マスタから複数座標位置に合致する棚情報を取得する第２工程と、該第２工程によって取得した棚情報に基づいて指定された仮想商品の陳列配置を決定する第３工程と、該第３工程によって決定した仮想商品の陳列配置画像を前記取得した棚情報に基づく棚画像上に重ねて表示する第４工程とを実行することを第２の特徴とする。
【０００９】
更に本発明は、商品棚の任意位置に複数取り付けられたＡＲマーカを読み取るＡＲマーカ読み取り部と、前記商品棚に対する仮想商品を陳列したＡＲ表示部とを有する端末と、
該端末とネットワークを介して接続され、複数の商品棚の寸法を構成する位置情報を格納した棚マスタと該棚マスタに商品を陳列した際の棚割情報を格納するための棚割データと複数商品の分類及び商品コード他を格納した商品マスタと該商品マスタに一意に付与された商品マスタ番号を格納した商品テーブルとを登録したデータベースと、該データベースに登録した棚マスタと棚割データ商品マスタと商品テーブルを参照して前記端末のＡＲ表示部に仮想商品を陳列した棚割シミュレーションを制御する中央処理部とを有するＡＲコンピュータとを備え、商品棚に対する仮想商品の陳列シミュレーションを実行するコンピュータシステムにおける棚割シミュレーションプログラムあって、
前記端末に、ＡＲマーカ読み取り部を用いて複数のＡＲマーカを読み取る第１機能と、該第１機能によって読み込んだ複数のＡＲマーカの位置情報に基づいて前記データベースの棚マスタから複数座標位置に合致する棚情報を取得させる第２機能と、該第２機能によって取得した棚情報に基づいて指定された仮想商品の陳列配置を決定させる第３機能と、該第３機能によって決定した仮想商品の陳列配置画像を前記取得した棚情報に基づく棚画像上に重ねて表示させる第４機能とを実現することを第３の特徴とする。
【発明の効果】
【００１０】
本発明による棚割シミュレーション方法及び棚割シミュレーションプログラムは、前記複数のＡＲマーカを前記端末のＡＲマーカ読み取り部が読み取り、該読み込んだ複数のＡＲマーカの位置情報に基づいてデータベースの棚マスタから複数座標位置に合致する棚情報を取得し、該取得した棚情報に基づいて指定された仮想商品の陳列配置を決定し、該決定した仮想商品の陳列配置画像を前記取得した棚情報に基づく棚画像上に重ねて表示することによって、実際の店舗において仮想商品の陳列シミュレーションを行うことができる。
【図面の簡単な説明】
【００１１】
【図１】本発明の一実施形態による棚割シミュレーションシステムが適用されるコンピュータシステムを示す図。
【図２】本発明の実施形態によるＡＲマーカー読み取り処理を示すフロー図。
【図３】本発明の実施形態による表示処理を示すフロー図。
【図４】本発明の実施形態による登録処理を示すフロー図。
【図５】本発明の実施形態による商品マスタ構成を説明するための図。
【図６】本発明の実施形態による商品テーブル構成を説明するための図。
【図７】本発明の実施形態による棚マスタ構成を説明するための図。
【図８】本発明の実施形態による棚割テーブル構成を説明するための図。
【図９】本発明の実施形態による棚割イメージを説明するための図。
【発明を実施するための形態】
【００１２】
以下、本発明による棚割シミュレーションシステム、棚割シミュレーション方法及び棚割シミュレーションプログラムの一実施形態を図面を参照して詳細に説明する。
［構成］
本発明の一実施形態による棚割シミュレーション方法及び棚割シミュレーションプログラムが適用される棚割シミュレーションシステムは、利用者が携帯するコンピュータであって既設の商品棚に取り付けられたＡＲ（仮想現実）マーカを読み取ると共にＡＲ表示を行う表示端末１０１と、該表示端末１０１とネットワーク１０２を介して接続され、本実施形態の特徴である商品棚に対する仮想商品の陳列を仮想商品の陳列シミュレーションを実行し、前記表示端末１０１の仮想商品の陳列画像を表示するＡＲコンピュータ１００とを備え、前記表示端末１０１は、商品棚に取り付けられたＡＲ（仮想現実）マーカを読み取るＡＲマーカ読み取り部１０と、予め登録された商品を選択するための商品選択部１１と、商品棚に対する仮想商品を陳列したＡＲ表示を行うＡＲ表示部１２とを備え、前記ＡＲコンピュータ１００は、複数の商品棚の寸法を構成する位置情報を格納した棚マスタと該棚マスタに商品を陳列した際の棚割情報を格納するための棚割データと複数商品の分類及び商品コード他を格納した商品マスタと該商品マスタに一意に付与された商品マスタＮｏ（番号）を格納した商品テーブルとを登録したデータベース１０４と、該データベース１０４に登録した棚マスタと棚割データ商品マスタと商品テーブルを参照して前記表示端末１０１のＡＲ表示部１２に仮想商品を商品棚に陳列した棚割シミュレーションを制御する中央処理部１０３とを備える。
【００１３】
前記データベース１０４に登録した商品マスタは、図５（ａ）に示す如く、商品分類の大項目コードと商品分類の中項目コードと商品分類の小項目コードと商品分類の細項目コードと商品コードと商品名の各項目情報とから成り、具体的には、図５（ｂ）に示す如く、例えば、商品Ａの大項目コードが「１１１１１」、中項目コードが「２２２２２」、小項目コードが「３３３３３」、細項目コードが「４４４４４と商品コードが「５５５５５」であり、商品Ｂの大項目コードが「１１１１１」、中項目コードが「２２２２２」、小項目コードが「３３３３３」、細項目コードが「４４４４４と商品コードが「５５５５６」の如く登録されている。
【００１４】
前記商品テーブルは、図６（ａ）に示す如く、商品マスタ毎に一意に付与された商品マスタＮｏと該商品マスタＮｏを商品毎に細分するために付与された商品枝番の項目情報とから成り、具体的には、図６（ｂ）に示す如く、商品マスタＮｏ「６６６６６６６６」の細目商品の商品枝番が「１」「２」「３」であり、商品マスタＮｏ「７７７７７７７７」の商品枝番が「１５」「１６」の如く登録されている。
【００１５】
前記棚マスタは、図７（ａ）に示す如く、商品棚毎に一意に付与された棚コードであって、具体的には、図７（ｂ）に示す如く、項目１の棚コードが「００００１」、項目２の棚コードが「００００２」、項目３の棚コードが「００００３」の如く登録されている。
【００１６】
本実施形態による商品棚に対する仮想商品の棚割シミュレーションの画像イメージは、例えば、図９に示す如く、矩形の棚の左下端を基準位置座標「０」とし、棚右下端をＸ方向位置座標「１００」（ｃｍ）、棚高さ方向の上左端をＹ方向位置座標「１００」（ｃｍ）とし、前記３位置座標の端部に個々の座標を表示するＡＲマーカ９０１が設けられ、矩形の商品棚の陳列位置をセンチ単位の座標として管理するように構成されている。
【００１７】
前記棚割テーブルは、図８（ａ）に示す如く、棚マスタＮｏ対応に商品テーブルＮｏと商品棚のＸ軸の位置座標情報である位置Ｘと商品棚のＹ軸の位置座標情報である位置Ｙと各商品の陳列必要数量を表す必要数量の各項目情報とから成り、具体的には、図８（ａ）に示す如く、棚マスタＮｏの商品テーブルＮｏ「１」の棚は、位置Ｘが「１０」、位置Ｙが「０」、必要数量がＮＵＬＬ（なし）であり、棚マスタＮｏの商品テーブルＮｏ「５」の棚は、位置Ｘが「５０」、位置Ｙが「０」、必要数量が「３０」の如く登録している。即ち、この棚割テーブルは、棚（棚マスタＮｏ）毎に陳列する商品（商品テーブルＮｏ）の当該商品棚における陳列位置（ＸＹ座標）及び数量を格納することができる。
【００１８】
［動作］
このように構成された棚割シミュレーションシステムは、操作者の操作によって前述のＡＲマーカ９０１が３隅に取り付けられた商品棚から表示端末１０１がＡＲマーカ９０１を読み取ると共に任意の仮想商品を選択することによって棚割シミュレーションを行うものであって、ＡＲマーカの読み取りフローを示す図２に示す如く、利用者が商品棚に表示端末１０１をかざすステップ２０１と、この表示端末１０１が商品棚のＡＲマーカが存在するか否かを判定し、存在しないと判定したときに処理を終了するステップ２０２と、該ステップ２０２においてＡＲマーカが存在すると判定したとき、複数のＡＲマーカ９０１の位置情報を読み取るステップ２０３とを実行することによって、対象となる商品棚の基準位置座標と棚右下端の位置座標と棚上左端の位置座標とを取得し、ネットワーク１０２を介してＡＲコンピュータ１００に送信するように動作する。
【００１９】
この商品棚の基準位置座標と棚右下端の位置座標と棚上左端の位置座標とを受信したＡＲコンピュータ１００は、図３に示す如く、データベース１０４の棚マスタ（図７）から３座標位置に合致する棚の棚コードを検索するステップ３０１と、該ステップ３０１による検索の結果、該当の棚コードが存在するか否かを判定し、存在しないと判定したときに後述のステップ３０７に移行するステップ３０２と、該ステップ３０２において該当の棚コードが存在すると判定したとき、データベース１０４の棚割テーブル（図８）から該当棚コードのデータを検索するステップ３０３と、該ステップ３０３によって検索した位置情報（０座標，Ｘ座標，Ｙ座標）とに基づいて表示端末１０１のＡＲ表示部１２に指定されたＡＲ商品を仮想的に陳列配置して表示するステップ３０４と、操作者の操作によってＡＲ商品をＡＲ表示部１２に表示された商品棚の任意の位置に配置するステップ３０５と、このＡＲ商品の配置による棚割を登録するか否かを操作者の指示により判定し、登録しないと判定したときに処理を終了するステップ３０６と、該ステップ３０６により登録すると判定したときに次の登録フローに移行するステップ３０７とを実行することによって、操作者によるＡＲ商品の棚割情報を登録するように動作する。
【００２０】
次に、本実施形態による棚割シミュレーションシステムの表示端末１０１は、図４に示した登録フローの如く、操作者の入力操作による棚コードを入力するステップ４０１と、ネットワーク１０２を介してデータベース１０４の商品マスタから陳列対象商品を検索するステップ４０２と、該ステップ４０２により検索したＡＲ商品の画像をＡＲ表示部１２に表示するステップ４０３と、操作者の操作によって該表示されたＡＲ商品位置を決定するステップ４０４と、該ステップ４０４により決定したＡＲ商品の相対的位置情報をマージンを含む商品サイズに基づいた計算によって取得するステップ４０５と、前記ステップによって取得した棚情報・商品情報・商品位置情報を棚割テーブル（図８）に登録するステップ４０６を実行することによって、ＡＲ商品の棚割をＡＲコンピュータ１００に登録し、表示端末１０１のＡＲ表示部１２上に表示するように動作する。
【００２１】
このように本実施形態による棚割シミュレーションシステムは、実際の商品陳列棚の隅に取り付けられたＡＲマーカの位置情報に基づいてＡＲ商品の仮想陳列した棚割シミュレーションを行って表示端末１０１に表示することができる。
【００２２】
なお、前述の実施形態においてはＡＲマーカを用いて商品棚の商品陳列座標範囲を特定する例を説明したが、本発明はこれに限られるものではなく、例えば表示端末１０１に商品棚を撮影するカメラ機能と、該カメラ機能により撮影した商品棚内の陳列範囲を操作者の指示によって指定する陳列座標範囲指定機能と、撮影した商品棚に対する商品サイズが同一にするためのサイズ調整機能（例えば、商品棚に所定寸法の基準マーカを貼り付け、この基準マーカによって棚サイズを判定し、該棚サイズに対する商品の画面上のサイズを調整する機能）とを設けることによって、実際に撮影した商品棚に対してＡＲ商品を仮想陳列するように構成しても良く、この機能は近年のタブレット端末やスマートフォンのアプリケーション追加によって容易に実現することができる。また、本発明は、前記機能に加え、実際のサンプル商品と商品棚を個別に撮影し、該商品画像をＡＲ画像として使用し、サンプル商品を商品棚へ多数ＡＲ陳列するように表示するように構成しても良い。
【符号の説明】
【００２３】
１０  ＡＲマーカ読み取り部、１１  商品選択部、１２  ＡＲ表示部、
１００  ＡＲコンピュータ、１０１  表示端末、１０２  ネットワーク
１０２  ネットワーク、１０３  ＡＲコンピュータ、１０３  中央処理部、
１０４  データベース
【図１】
2013134673.tif 000003
【図２】
2013134673.tif 000004
【図３】
2013134673.tif 000005
【図４】
2013134673.tif 000006
【図５】
2013134673.tif 000007
【図６】
2013134673.tif 000008
【図７】
2013134673.tif 000009
【図８】
2013134673.tif 000010
【図９】
2013134673.tif 000011